(57)【要約】      （修正有）【課題】印刷物をコピーできる画像処理装置を提供する。【解決手段】画像処理装置１００は、第一の電子透かしと元画像が形成された印刷物を読み取り、原稿画像を生成する読取手段と、原稿画像から第一の電子透かしを検出し、第一の電子透かしに含まれる元画像に関する情報を検出する電子透かし処理手段と、電子透かし処理手段が検出した元画像に関する情報に基づいて元画像を取得する取得手段と、取得手段が取得した元画像と原稿画像を比較する比較手段と、元画像と原稿画像との差分を元画像に合成して合成画像データを生成する合成手段と、を有する。【選択図】図７
2019009568.tif 000002
【特許請求の範囲】
【請求項１】
第一の電子透かしと元画像が形成された印刷物を読み取り、原稿画像を生成する読取手段と、
前記原稿画像から前記第一の電子透かしを検出し、前記第一の電子透かしに含まれる前記元画像に関する情報を検出する電子透かし処理手段と、
前記電子透かし処理手段が検出した前記元画像に関する情報に基づいて前記元画像を取得する取得手段と、
前記取得手段が取得した前記元画像と前記原稿画像を比較する比較手段と、
前記元画像と前記原稿画像との差分を前記元画像に合成して合成画像データを生成する合成手段と、
を有する画像処理装置。
【請求項２】
前記合成画像データを印刷する印刷手段と、
ネットワークを介して接続された情報処理装置に前記合成画像データを送信すると共に、前記合成画像データの登録を要求する通信手段と、を有し、
前記通信手段は前記情報処理装置から前記合成画像データに関する情報を取得し、
前記印刷手段は、前記合成画像データに関する情報に基づき生成された第二の電子透かしを前記合成画像データに設定して印刷することを特徴とする請求項１に記載の画像処理装置。
【請求項３】
前記比較手段が、前記元画像と前記原稿画像に差異がないと判断した場合、
前記合成手段は、前記差分と前記元画像の合成を行わないことを特徴とする請求項１又は２に記載の画像処理装置。
【請求項４】
前記比較手段は、前記元画像と前記原稿画像の前記差分から、前記第一の電子透かしの微小点を削除し、
前記合成手段は、前記微小点を含まない前記差分を前記元画像と合成することを特徴とする請求項１〜３のいずれか１項に記載の画像処理装置。
【請求項５】
前記比較手段は、前記元画像と前記原稿画像の前記差分と、前記第一の電子透かしの微小点の画素パターンを比較して前記差分から前記微小点を検出し、検出した前記微小点を前記差分から削除することを特徴とする請求項４に記載の画像処理装置。
【請求項６】
前記比較手段は、前記差分よりも予め設定されている余裕分だけ大きい範囲を前記原稿画像から特定し、
前記合成手段は、前記原稿画像から特定した範囲を前記原稿画像から切り出し、前記原稿画像から特定した範囲と同じ前記元画像の範囲に配置することで合成することを特徴とする請求項１〜５のいずれか１項に記載の画像処理装置。
【請求項７】
電子透かしに関する設定を受け付ける設定画面を表示する表示手段を有し、
前記表示手段は、前記設定画面に対する電子透かしに関する処理を行うか否かの設定を受け付けることを特徴とする請求項１〜６のいずれか１項に記載の画像処理装置。
【請求項８】
前記表示手段は、前記設定画面に対する前記元画像を印刷するか否か、又は、前記差分を合成するか否かの設定を受け付けることを特徴とする請求項７に記載の画像処理装置。
【請求項９】
画像処理装置と情報処理装置がネットワークを介して接続された画像処理システムであって、
第一の電子透かしと元画像が形成された印刷物を読み取り、原稿画像を生成する読取手段と、
前記原稿画像から前記第一の電子透かしを検出し、前記第一の電子透かしに含まれる前記元画像に関する情報を検出する電子透かし処理手段と、
前記電子透かし処理手段が検出した前記元画像に関する情報に基づいて前記元画像を取得する取得手段と、
前記取得手段が取得した前記元画像と前記原稿画像を比較する比較手段と、
前記元画像と前記原稿画像との差分を前記元画像に合成して合成画像データを生成する合成手段と、
前記合成画像データを記憶する記憶手段と、
を有する画像処理システム。
【請求項１０】
画像処理装置を、
第一の電子透かしと元画像が形成された印刷物を読み取り、原稿画像を生成する読取手段と、
前記原稿画像から前記第一の電子透かしを検出し、前記第一の電子透かしに含まれる前記元画像に関する情報を検出する電子透かし処理手段と、
前記電子透かし処理手段が検出した前記元画像に関する情報に基づいて前記元画像を取得する取得手段と、
前記取得手段が取得した前記元画像と前記原稿画像を比較する比較手段と、
前記元画像と前記原稿画像との差分を前記元画像に合成して合成画像データを生成する合成手段、として機能させるためのプログラム。
【発明の詳細な説明】
【技術分野】
【０００１】
本発明は、画像処理装置、画像処理システム、及び、プログラムに関する。
【背景技術】
【０００２】
情報流出の経路としてはネットワーク経由よりも印刷物の流出によるものの方が多いという統計がある。従来から、紙媒体の漏洩を抑制する技術として電子透かしという技術が知られている。電子透かしとは、印刷対象の画像に関する情報を画像と共に印刷媒体に形成する技術又は形成された情報をいう。電子透かしには視覚可能なものと不可視のものがある。視覚可能なものとして、画像処理装置においては地紋印刷という印刷媒体の背景に薄い濃度で情報を印刷する機能が知られている。地紋印刷が施された印刷媒体が複写されると社外秘などの文字が浮かび上がったり、元の文書を判読しにくくしたりすることができる。しかし、地紋印刷はユーザが肉眼で判読可能なため、改ざんしやすいことや文書のデザイン性が低下するなどの不都合がある。これに対し、人間が判読しにくい不可視の電子透かしは、肉眼では見えにくい微小点を印刷対象の画像の予め決まった場所に画像処理装置が配置することで印刷媒体に形成される。
【０００３】
不可視の電子透かしが形成された印刷物がコピーされる場合、電子透かし以外の画像の画質が低下するのは従来と同様であるが、電子透かしの微小点もコピーされるため、電子透かしがない場合よりも画質が低下するおそれがある。
【０００４】
そこで、印刷物の電子透かしに基づいて電子データとして保存されている元画像を特定し、この元画像を取得して電子透かしと共に印刷することで複数回のコピーによる画像の劣化を防ぐ技術がある（例えば、特許文献１参照。）。
【発明の概要】
【発明が解決しようとする課題】
【０００５】
しかしながら、従来の方法では、印刷物に形成された画像ではなく保存されていた元画像が用紙に形成されるため、コピー元の印刷物にユーザが書き込み情報を追加していても、書き込み情報がコピーされないという問題があった。すなわち、電子透かしが形成された印刷物に例えば「ＡＢＣ」という文字をユーザが書き込んでいた場合、この印刷物がコピーされても「ＡＢＣ」という文字は用紙に形成されない。
【０００６】
本発明は、上記課題に鑑み、印刷物をコピーできる画像処理装置を提供することを目的とする。
【課題を解決するための手段】
【０００７】
本発明は、第一の電子透かしと元画像が形成された印刷物を読み取り、原稿画像を生成する読取手段と、前記原稿画像から前記第一の電子透かしを検出し、前記第一の電子透かしに含まれる前記元画像に関する情報を検出する電子透かし処理手段と、前記電子透かし処理手段が検出した前記元画像に関する情報に基づいて前記元画像を取得する取得手段と、前記取得手段が取得した前記元画像と前記原稿画像を比較する比較手段と、前記元画像と前記原稿画像との差分を前記元画像に合成して合成画像データを生成する合成手段と、を有する画像処理装置を提供する。
【発明の効果】
【０００８】
本発明によれば、印刷物をコピーできる画像処理装置を提供することができる。
【図面の簡単な説明】
【０００９】
【図１】電子透かしが形成された印刷物の従来のコピー方法を説明する図の一例である。
【図２】電子透かしが形成された印刷物の従来のコピー方法の不都合を説明する図の一例である。
【図３】本実施形態の画像処理装置の動作の概略を説明する図の一例である。
【図４】画像処理システムのシステム構成図の一例である。
【図５】画像処理装置のハードウェア構成図の一例である。
【図６】サーバのハードウェア構成図の一例である。
【図７】画像処理装置とサーバの機能をブロック状に示す機能ブロック図の一例である。
【図８】操作パネルに表示される電子透かしの設定画面の一例を示す図である。
【図９】印刷物のコピー時の画像処理装置とサーバの動作を説明するフローチャート図の一例である。
【図１０】電子透かしの検出方法の一例を説明する図である。
【図１１】保存先情報に基づく元画像の取得を模式的に説明する図の一例である。
【図１２】比較処理と合成処理を模式的に説明する図の一例である。
【図１３】電子透かしがある場合の差分を説明する図の一例である。
【図１４】モフォロジーを説明する図の一例である。
【図１５】差分の切り出しを詳細に説明する図の一例である。
【図１６】合成画像データのサーバへの保存と印刷を模式的に説明する図の一例である。
【図１７】元画像と原稿画像に差分がない場合の印刷処理について説明する図の一例である。
【図１８】複数の画像処理装置がある場合の印刷物のコピーを説明する図の一例である。
【発明を実施するための形態】
【００１０】
以下、本発明を実施するための形態について図面を参照しながら説明する。
【００１１】
＜従来技術の説明＞
図１は、電子透かし８が形成された印刷物９の従来のコピー方法を説明する図の一例である。
（１）例えば、画像処理装置１００は元画像６３の電子データをサーバ５０に登録する。なお、ＰＣ（Personal Computer）が画像処理装置１００で印刷する元画像６３をサーバ５０に登録してもよい。
（２）画像処理装置１００は、サーバ５０に電子データとして保存されている元画像６３を取得し、電子透かし８と共に印刷する（印刷物９を出力する）。この電子透かし８には元画像６３を画像処理装置１００が取得するための保存先情報が含まれている。
（３）ユーザＵは印刷物９を画像処理装置１００にセットしてコピーする操作を行う。
（４）画像処理装置１００は印刷物９の原稿画像６２を解析して電子透かし８を検出し、保存先情報を検出するので元画像６３を特定できる。
（５）画像処理装置１００はサーバ５０から取得した元画像６３を電子透かし８と共に印刷する。
【００１２】
このような方法によれば、読み取った原稿画像６２そのものではなく保存しておいた元画像６３を電子透かし８から特定して、新たに電子透かし８と共に印刷するので、コピーが繰り返えされても印刷された画像は劣化せず、また、電子透かし８も１つしか形成されない。したがって、電子透かし８が形成された印刷物９が繰り返しコピーされても画質の低下を抑制できる。しかしながら、従来の技術には以下のような不都合がある。
【００１３】
＜従来技術の不都合＞
図２は、電子透かし８が形成された印刷物９の従来のコピー方法の不都合を説明する図の一例である。図１と異なるのは、（２）の処理と（３）の処理の間に、ユーザが印刷物９に書き込み情報７を追加した点である。（４）と（５）の処理は図１と同様であるが、（５）で画像処理装置１００が印刷した印刷物９には書き込み情報７が存在しない。ユーザとしては自分が書き込んだはずの書き込み情報７がコピーされないので違和感を感じるおそれがある。
【００１４】
＜本実施形態の画像処理装置の動作の概略＞
図３は、本実施形態の画像処理装置１００の動作の概略を説明する図の一例である。（１）〜（４）の処理は図１と同様でよい。
（４．５）画像処理装置１００はコピー元の印刷物９から読み取った原稿画像６２と電子透かし８で特定された元画像６３とを比較する。
（５）原稿画像６２と元画像６３に差異がある場合、画像処理装置１００は差分６を元画像６３に合成して新たな電子透かし８と共に印刷する。
【００１５】
元画像６３に差分６が合成されるので、ユーザは書き込み情報７を含む、コピー元の印刷物９とほぼ同じ画像の印刷物９を得ることができる。
【００１６】
＜用語について＞
元画像とは印刷物にすでに形成されている画像、又は、元画像として印刷物に印刷される前の元画像の電子データをいう。
【００１７】
元画像に関する情報とは、元画像を取得するための情報であればよい。取得するために特定又は識別するための情報が含まれてよい。本実施形態では保存先情報という用語で説明される。合成画像データに関する情報も同様である。
【００１８】
合成とは、２つ以上の画像を合わせて１つの画像にすることをいう。一方の画像の画素値を他方の画像の画素値で置き換えることをいう。
【００１９】
また、電子透かしが有する微小点を印刷することを「埋め込む」という場合がある。これは、埋めることで物が見えなくなることを念頭に微小点が不可視であることから転用された用語である。しかし、インク又はトナーが印刷物を侵襲して物的に内部に埋め込まれることまでは要しない。また、電子透かしが有する微小点を印刷することを、電子透かしを形成する、微小点を配置する、微小点を設定する等と称してもよい。
【００２０】
＜構成例＞
図４は、画像処理システム２００のシステム構成図の一例である。ネットワークＮを介して、画像処理装置１００、及び、サーバ５０が接続されている。互いに必要に応じて通信が可能となっている。
【００２１】
画像処理装置１００は電子透かし８を形成するなどの画像処理を行う装置であるが、情報処理装置としての機能を有している。本実施形態では、原稿の読み取りと印刷を行うためコピー機又は複写機と呼ばれる場合がある。画像処理装置１００は、用紙などのシート状部材、段ボールなど立体物、又は、看板などの固定物に画像を形成する装置である。画像処理装置１００は、画像形成装置、又はプリンタ等と呼ばれる場合がある。また、複数の機能を有するため、画像処理装置１００は、複合機又はＭＦＰ（Multi-function Peripherals）と呼ばれる場合がある。この他、画像処理装置１００は、ファクスの送信機能及び受信機能等の他の機能を有していてもよい。
【００２２】
サーバ５０は画像処理装置１００が印刷する電子データとしての元画像６３を管理する情報処理装置である。一般にサーバとは、ネットワークを介して接続されたクライアント装置からの要求に応じて、何らかのデータ又は何らかの処理結果を提供する装置である。図示するサーバ５０は１台の装置として記載されているが、サーバ５０はクラウドコンピューティングに対応していてもよい。クラウドコンピューティングとは、特定ハードウェア資源が意識されずにネットワーク上のリソースが利用されるコンピュータの利用形態をいう。
【００２３】
なお、必ずしもサーバ５０はなくてもよい。サーバ５０がない場合、画像処理装置１００が元画像６３を管理する。
【００２４】
ネットワークＮは、画像処理装置１００が設置された場所に敷設されているＬＡＮ、ＬＡＮをインターネットに接続するプロバイダのプロバイダネットワーク、及び、回線事業者が提供する回線等により構築されている。ネットワークＮが複数のＬＡＮを有する場合、ネットワークＮはＷＡＮと呼ばれる。また、ネットワークＮには、コンピュータを世界的な規模で接続すると共に世界中のネットワークが相互接続されたインターネットが含まれる。
【００２５】
ネットワークＮは有線又は無線のどちらで構築されてもよく、また、有線と無線が組み合わされていてもよい。また、画像処理装置１００が直接、公衆回線網に接続する場合は、ＬＡＮを介さずにプロバイダネットワークに接続することができる。無線で接続する場合にはWi-Fi（登録商標）、Bluetooth（登録商標）、３Ｇ、４Ｇ、ＬＴＥなどの通信規格が適宜使用される。
【００２６】
＜ハードウェア構成例＞
<<画像処理装置>>  
図５は、画像処理装置１００のハードウェア構成図の一例である。画像処理装置１００はコントローラ３２０を有する。コントローラ３２０は、ＣＰＵ３０１、ＡＳＩＣ（Application Specific Integrated Circuit）３０５、ＳＤＲＡＭ３０２、フラッシュメモリ３０３、ＨＤＤ３０４、及び、ＮＩＣ３０６を有する。図５に示すように画像処理装置１００は情報処理装置としての機能を有する。
【００２７】
ＡＳＩＣ３０５は、ＣＰＵインタフェース、ＳＤＲＡＭインタフェース、ローカルバスインタフェース、ＰＣＩバスインタフェース、ＭＡＣ（Media Access Controller）、及び、ＨＤＤインタフェースなどを備える多機能デバイスボードである。
【００２８】
ＡＳＩＣ３０５が有するＴＭＰ（Trusted Platform Module）チップ３４０は暗号キーを有しており、暗号キーがＴＭＰチップ３４０自身で管理されている。このため、外部からの攻撃にも強く、ＨＤＤ３０４のデータの盗難やデータの解析による情報流出のリスクが低い。
【００２９】
ＣＰＵ３０１は、ＡＳＩＣ３０５を介して各種プログラムをＨＤＤ３０４から読み取り実行する。ＳＤＲＡＭ３０２は、各種プログラムを記憶するプログラムメモリや、ＣＰＵ３０１が各種プログラムを実行する際に使用するワークメモリ等として機能する。なお、ＳＤＲＡＭ３０２の代わりに、ＤＲＡＭやＳＲＡＭを用いてもよい。
【００３０】
フラッシュメモリ３０３は不揮発性メモリであり、画像処理装置１００を起動させるブートローダ（ブートプログラム）やＯＳを記憶する。また、各プログラムを記憶するメモリとして機能する。また、フラッシュメモリ３０３は、各サービス（コピーサービス、プリントサービス、ファクシミリサービス）のアプリケーションを記憶するサービスメモリとして機能する。更に、フラッシュメモリ３０３は、ファームウェアを記憶するファームメモリ、ネットワークアドレスや機種機番等を記憶するデータメモリとして機能する。
【００３１】
なお、フラッシュメモリ３０３の代わりに、ＲＡＭと電池を利用したバックアップ回路を集積した不揮発性ＲＡＭや、ＥＥＰＲＯＭ（Electrically Erasable Programmable Read-Only Memory）等の他の不揮発性メモリを使用してもよい。
【００３２】
ＨＤＤ３０４は、画像処理装置１００の電源のオン、オフに関わりなくデータを記憶する不揮発性の記憶媒体である。ＨＤＤ３０４は、フラッシュメモリ３０３内に記憶されたプログラム及びデータ以外のプログラム及びデータを記録する。なお、ＨＤＤ３０４は、ファームメモリとして使用してもよい。
【００３３】
ＮＩＣ３０６は、ＬＡＮなどのネットワークを介して各種の機器と通信するための通信装置である。コントローラ３２０には、操作パネル３０７が接続されている。操作パネル３０７は、各種の操作キー、表示装置としてのＬＣＤ（Liquid crystal display）又はＣＲＴの文字表示器及びタッチパネルを有し、ユーザＵが画像処理装置１００に各種指示を入力する際に用いられる。
【００３４】
更に、コントローラ３２０には、ＰＣＩバス３３０を介して、ファクス制御ユニット３０８、記憶媒体３０９ａが脱着可能なＵＳＢ３０９、ＩＥＥＥ１３９４（３１０）、プロッタエンジン３１１、スキャナエンジン３１２及びＢＬＥモジュール３１３が接続されている。これにより、画像処理装置１００では、コピーサービス、プリントサービス、ファクシミリサービス等の各サービスを提供することができる。プロッタエンジン３１１は電子写真方式又はインクジェット方式のいずれの方式を採用していてもよい。
【００３５】
なお、図示する構成は一例に過ぎず、画像処理装置１００のハードウェア構成は図５の構成には限られない。例えば、ＮＩＣ３０６はＰＣＩバス３３０に接続されていてもよい。また、ＮＩＣ３０６は有線でネットワークＮに接続される他、無線ＬＡＮなど無線で接続されていてもよい。ＮＩＣ３０６が複数あってもよい。
【００３６】
更に、ＮＩＣ３０６に代えて又はＮＩＣ３０６と共に、電話回線網に接続するＤＳＵ（Digital Service Unit）又はモデムを有していてもよい。携帯電話網に接続する通信装置を有していてもよい。
【００３７】
<<サーバ>>
図６は、サーバ５０のハードウェア構成図の一例である。サーバ５０は、ＣＰＵ２０１と、ＲＯＭ２０２と、ＲＡＭ２０３と、通信Ｉ／Ｆ２０４と、入力装置２０５と、表示装置２０６と、ＨＤＤ２０７とを備える。ＣＰＵ２０１は、サーバ５０の動作を統括的に制御する。ＲＯＭ２０２は、プログラム等の各種のデータを記憶する不揮発性のメモリである。ＲＡＭ２０３は、ＣＰＵ２０１が実行する各種の処理の作業領域（ワークエリア）として機能する揮発性のメモリである。通信Ｉ／Ｆ２０４は、ネットワークＮと接続するためのインタフェースである。入力装置２０５は、ユーザによる操作の入力に用いられるデバイスであり、例えばマウスやキーボードなどで構成される。表示装置２０６は各種の情報を表示するデバイスであり、例えば液晶型ディスプレイ装置などで構成される。ＨＤＤ２０７は大容量のデータを記憶する不揮発性の記憶装置である。
【００３８】
サーバ５０はクラウドコンピューティングに対応していてもよい。この場合、図示したハードウェア構成は、１つの筐体に収納されていたり一まとまりの装置として備えられていたりする必要はなく、サーバ５０が備えていることが好ましいハード的な要素を示す。また、クラウドコンピューティングに対応するため、本実施例のサーバ５０の物理的な構成は固定的でなくてもよく、負荷に応じてハード的なリソースが動的に接続・切断されることで構成されてよい。
【００３９】
＜機能について＞
図７は、画像処理装置１００とサーバ５０の機能をブロック状に示す機能ブロック図の一例である。
【００４０】
<<画像処理装置>>
画像処理装置１００は通信部１１、取得部１２、記憶部１３、比較部１４、ＵＩ部１５、制御部１６、合成部１７、及び、エンジン部１８を有している。
【００４１】
通信部１１は、サーバ５０と各種の情報を送受信する。本実施形態では、取得部１２が取得した保存先情報、及び、合成部１７が合成した合成画像データをサーバ５０へ送信する。また、サーバ５０から元画像６３を受信して比較部１４へ送出する。通信部１１は、図５のＣＰＵ３０１がＨＤＤ３０４からＳＤＲＡＭ３０２に展開されたプログラムを実行しＮＩＣ３０６を制御すること等により実現される。
【００４２】
エンジン部１８は、画像処理装置１００が備えている各種機能を提供する。画像処理装置１００が複合機であれば印刷物９に画像を形成するプリンタ機能、及び、印刷物９を読み取って原稿画像６２を生成するスキャナ機能などを提供する。原稿画像６２は記憶部１３に記憶される。エンジン部１８は、図５のＣＰＵ３０１がＨＤＤ３０４からＳＤＲＡＭ３０２に展開されたプログラムを実行しプロッタエンジン３１１、スキャナエンジン３１２等を制御すること等により実現される。
【００４３】
エンジン部１８は更に読取部１８ａと印刷部１８ｂを有する。読取部１８ａはスキャナ機能に対応し、印刷部１８ｂはプリンタ機能に対応する。
【００４４】
比較部１４は、通信部１１が受信した元画像６３と、記憶部１３に記憶された原稿画像６２を比較する。比較した結果、差異がある場合は差分を取り出し、元画像６３と共に合成部１７へ送出する。比較部１４は、図５のＣＰＵ３０１がＨＤＤ３０４からＳＤＲＡＭ３０２に展開されたプログラムを実行すること等により実現される。
【００４５】
制御部１６は、画像処理装置１００の全体的な動作を制御する。制御部１６は、記憶部１３の原稿画像６２を読み出して、電子透かし８が形成されているか否かを判断する。原稿画像６２に電子透かし８が入っている場合、取得部１２へ電子透かし有りを通知する。また、制御部１６は、電子透かし８の生成や印刷時に元画像６３に電子透かし８を設定する処理も行う。制御部１６は、図５のＣＰＵ３０１がＨＤＤ３０４からＳＤＲＡＭ３０２に展開されたプログラムを実行すること等により実現される。
【００４６】
制御部１６は、保存先情報を所定の規則でデジタル信号に符号化し、デジタル信号を複数の微小点の配置に変換し、微小点の配置を電子透かし８として元画像に設定する。元画像６３への電子透かし８の設定は画素単位のＯＲ演算（元画像に微小点を上書きする）でよい。電子透かし８を形成する（微小点を配置する）アルゴリズムは予め決まっている。種々のアルゴリズムがあるが、アルゴリズムにより微小点の配置及び微小点の画素パターンなどが決まる。配置としては例えばＸ方向、Ｙ方向の微小点の間隔Ｍ、間隔Ｍと座標との対応などがあり、画素パターンとしては微小点の形状や画素値が挙げられる。
【００４７】
取得部１２は、制御部１６から電子透かし有りが通知された場合、記憶部１３から原稿画像６２を読み出し、上記のアルゴリズムを使って原稿画像６２を解析して電子透かし８を検出し、電子透かし８から保存先情報を解読する。保存先情報とは、元画像６３が保存されている記憶場所（例えば、ＵＲＬ）である。取得部１２は、図５のＣＰＵ３０１がＨＤＤ３０４からＳＤＲＡＭ３０２に展開されたプログラムを実行すること等により実現される。
【００４８】
合成部１７は、比較部１４から送出された差分と元画像６３を合成する。合成して得られた合成画像データを通信部１１へ送出する。合成部１７は、図５のＣＰＵ３０１がＨＤＤ３０４からＳＤＲＡＭ３０２に展開されたプログラムを実行すること等により実現される。
【００４９】
ＵＩ部１５は、画像処理装置１００をユーザが操作するためのユーザインタフェースを提供する。例えば、操作パネル３０７に設定画面等を表示し、また、操作パネル３０７（設定画面）に対するユーザ操作を受け付ける。また、ユーザが入力した初期設定などの入力情報は制御部１６へ通知される。
【００５０】
記憶部１３は、各種のデータを記憶する好ましくは不揮発性メモリである。揮発性でもよい。記憶部１３は原稿画像６２等を記憶する。記憶部１３は、図５のＨＤＤ３０４、フラッシュメモリ３０３、及び、ＳＤＲＡＭ３０２の１つ以上により実現される。
【００５１】
<<サーバ>>
サーバ５０は、通信部２１と記憶部２２を有している。
【００５２】
通信部２１は、画像処理装置１００と各種のデータを送受信する。本実施形態では、画像処理装置１００から保存先情報、及び合成画像データを受信して記憶部２２へ記憶させる。また、通信部２１は記憶部２２から読み出した元画像６３を画像処理装置１００に送信する。通信部２１は、図６のＣＰＵ２０１がＨＤＤ２０７からＲＡＭ２０３に展開されたプログラム２０７ｐを実行し通信Ｉ／Ｆ２０４を制御すること等により実現される。
【００５３】
記憶部２２は、元画像６３と合成画像データを記憶する好ましくは不揮発性のメモリである。記憶部２２は、図６のＨＤＤ２０７、ＲＡＭ２０３、及び、ＲＯＭ２０２の１つ以上により実現される。記憶部２２には表１に示す元画像管理テーブルが記憶されている。
【００５４】
【表１】
2019009568.tif 000003
表１は元画像管理テーブルに記憶されている情報を模式的に示す。元画像管理テーブルは元画像を管理するためのテーブルである。元画像管理テーブルには画像ＩＤ、ファイル名、保存先情報、及び、ユーザＩＤが対応付けて登録されている。画像ＩＤは元画像６３を識別又は特定する識別情報である。ＩＤはIdentificationの略であり識別子や識別情報という意味である。ＩＤは複数の対象から、ある特定の対象を一意的に区別するために用いられる名称、符号、文字列、数値又はこれらのうち１つ以上の組み合わせをいう。他のＩＤについても同様である。ファイル名は元画像６３のファイル名であり、ユーザ又は画像処理システム２００が元画像６３を判別するために使用される。保存先情報は元画像６３が記憶されている記憶場所を示す情報である。保存先情報は、例えばＵＲＬ、保存場所へのパス（Ｐｓｔｈ）、などである。元画像６３を特定できる画像ＩＤ、又は、ファイル名が保存先情報でもよい。ユーザＩＤはユーザを識別又は特定する識別情報である。元画像６３を印刷したユーザが特定可能になる。
【００５５】
＜電子透かしの設定＞
図８は操作パネル３０７に表示される電子透かしの設定画面４０１の一例を示す。ユーザは電子透かし８の設定を変更することができる。
【００５６】
電子透かし８の設定画面には、電子透かし設定４０２、画像取得設定４０３、差分合成設定４０４、及び、差分取得範囲４０５の各設定を有する。
【００５７】
電子透かし設定４０２は、「する」ボタン４０２ａと「しない」ボタン４０２ｂを有する。ユーザはどちらかのボタンを排他的に選択する。「する」ボタン４０２ａが選択された場合、画像処理装置１００は印刷する画像に電子透かし８を形成する。また、画像処理装置１００は読み取った原稿画像６２に電子透かし８が入っているか否かの判断を行う。「しない」ボタン４０２ｂが選択された場合、画像処理装置１００は印刷する画像に電子透かし８を形成しない。また、画像処理装置１００は読み取った原稿画像６２に電子透かし８が入っているか否かの判断を行わない。このように、電子透かし８の検出や形成が不要なユーザは、電子透かし８に関する機能をＯＦＦにすることができる。
【００５８】
画像取得設定４０３は、電子透かし設定４０２の「する」ボタン４０２ａが押下された場合にユーザが設定することができる。画像取得設定４０３は、「元画像コピー」ボタン４０３ａと「そのままコピー」ボタン４０３ｂを有する。ユーザはどちらかのボタンを排他的に選択する。「元画像コピー」ボタン４０３ｂが選択された場合、画像処理装置１００は電子透かし８に含まれる保存先情報が示す元画像６３をサーバ５０から取得し、元画像６３を印刷に使用する。「そのままコピー」ボタン４０３ｂが押下された場合、読み取った原稿画像６２をそのまま印刷に使用する。したがって、ユーザは元画像６３でなく原稿画像６２をそのまま印刷することもできる。このような設定は例えばサーバ５０から元画像６３が削除されているような場合、又は、差分を取り出すことが困難な書き込み情報７などをユーザがコピーする場合に有効である。
【００５９】
差分合成設定４０４は、画像取得設定４０３の「元画像コピー」ボタン４０３ａが押下された場合にユーザが設定することができる。差分合成設定４０４は、「差分を含める」ボタン４０４ａと「差分を含めない」ボタン４０４ｂを有する。ユーザはどちらかのボタンを排他的に選択する。「差分を含める」ボタン４０４ａが選択された場合、画像処理装置１００は元画像６３と原稿画像６２を比較し、求めた差分を元画像６３と合成する。合成して得られた合成画像データは元画像６３としてサーバ５０に保存される。「差分を含めない」ボタン４０４ｂが選択された場合、画像処理装置１００は取得した元画像６３に、再度、電子透かし８を設定して印刷する。したがって、ユーザは書き込み情報７を除いてコピーするか書き込み情報７を含めてコピーするかを選択でき、印刷物９に書き込んでしまっても書き込まない元画像６３を印刷することもできる。
【００６０】
差分取得範囲４０５は、差分合成設定４０４の「差分を含める」ボタン４０４ａが選択された場合にユーザが設定することができる。詳細は後述されるが、原稿画像６２から差分を切り出す際の余裕分が設定される。範囲指定欄４０５ａに示すように、差分の境界（例えば外接矩形）にプラスしてどのくらいの範囲を切り出すかユーザが設定することができる。単位は〔ｍｍ〕とするが、0.1〔ｍｍ〕単位で設定してもよい。したがって、切り出しにくいような書き込みを行った場合でもユーザは範囲指定欄４０５ａに適切な値を設定することで確実に書き込み情報７を切り出してコピーできる。
【００６１】
＜動作手順＞
図９は、印刷物９のコピー時の画像処理装置１００とサーバ５０の動作を説明するフローチャート図の一例である。図９（ａ）は画像処理装置１００の動作であり、図９（ｂ）はサーバ５０の動作である。
【００６２】
画像処理装置１００の読取部１８ａはユーザがセットした印刷物９（原稿）を読み取り原稿画像６２を生成する（Ｓ１０）。エンジン部１８は原稿画像６２を記憶部１３に記憶させる。本実施形態ではこの印刷物９にすでに電子透かし８が形成されているものとして説明する。
【００６３】
画像処理装置１００の制御部１６は、電子透かし設定４０２の「する」ボタン４０２ａが選択されているか否かを判断する（Ｓ２０）。電子透かし設定４０２の「する」ボタン４２０ａが押下されている場合、画像処理装置１００は電子透かし８を形成したり読み取ったりすることができる。ステップＳ２０の判断がＮｏの場合、処理はステップＳ１２０に進む。
【００６４】
ステップＳ２０の判断がＹｅｓの場合、制御部１６は原稿画像６２に電子透かし８が形成されているか否かを判断する（Ｓ３０）。判断方法の一例を図１０にて説明する。ステップＳ３０の判断がＮｏの場合、処理はステップＳ１００に進む。
【００６５】
ステップＳ３０の判断がＹｅｓの場合、画像処理装置１００の取得部１２は記憶部１３の原稿画像６２の電子透かし８を解析して元画像６３の保存先情報を取り出す（Ｓ４０）。このように、電子透かしの有無により処理を切り替えることができる。
【００６６】
次に、取得部１２は保存先情報を通信部１１に送出し、画像処理装置１００の通信部２１がサーバ５０から保存先情報で指定される元画像６３を取得する（Ｓ５０）。ステップＳ５０の丸で囲まれたＡとＢはサーバ５０の処理と対応付けられている。サーバ５０の通信部２１は保存先情報を受信し（Ｓ２１０）、記憶部２２から保存先情報で指定される元画像６３を画像処理装置１００に送信する（Ｓ２２０）。
【００６７】
画像処理装置１００の通信部１１は元画像６３を比較部１４に送出し、比較部１４は元画像６３と記憶部１３に記憶されている原稿画像６２を比較する（Ｓ６０）。
【００６８】
比較結果に差がない場合（Ｓ７０のＮｏ）、画像処理装置１００の制御部１６は元画像６３の保存先情報を微小点の配置に変換して電子透かし８を作成し、元画像６３に設定する（Ｓ１１０）。この保存先情報はサーバ５０から送信されたものでも電子透かし８から取得したものでもよい。
【００６９】
比較結果に差がある場合（Ｓ７０のＹｅｓ）、画像処理装置１００の合成部１７は元画像６３と原稿画像６２の差異である差分を元画像６３に合成する（Ｓ８０）。
【００７０】
合成部１７は通信部１１を介して合成画像データをサーバ５０に送信する（Ｓ９０）。なお、印刷のため合成画像データは記憶部１３に記憶される。ステップＳ９０の丸で囲まれたＣとＤはサーバ５０の処理と対応付けられている。サーバ５０の通信部２１は合成画像データを受信し（Ｓ２３０）、記憶部２２に合成画像データを記憶させる（Ｓ２４０）。通信部２１は合成画像データの保存先情報を生成し、通信部２１は合成画像データの保存先情報を画像処理装置１００に送信する（Ｓ２５０）。これにより、画像処理装置１００が合成画像データの保存先情報を電子透かしとして形成できる。
【００７１】
なお、画像処理装置１００が保存先情報を生成する場合は、通信部２１は合成画像データと共に保存先情報を取得し、保存先情報が指定する場所に保存する。
【００７２】
次に、画像処理装置１００の制御部１６は、合成画像データの保存先情報を微小点の配置に変換して電子透かし８を作成し、合成画像データに設定する（Ｓ１００）。
【００７３】
画像処理装置１００の印刷部１８ｂは元画像６３又は合成画像データのどちらかを印刷する（Ｓ１２０）。すなわち、比較結果に差がある場合は合成画像データを印刷し、比較結果に差がない場合は元画像６３を印刷する。
【００７４】
＜各ステップの詳細＞
以下では、図９の処理を詳細に説明する。
【００７５】
<<Ｓ３０  電子透かし８の検出>>
図１０を用いて電子透かし８の検出方法の一例を説明する。図１０（ａ）は原稿画像６２の画素をメッシュ状に示す図の一例である。行方向（Ｘ方向）に微小点が探索される。制御部１６は１行ずつ最期の行まで微小点を探索する。図１０では探索の開始点４２１が原稿画像６２の左上コーナーであるが、探索の開始点４２１は他の３つのコーナーのいずれかでもよい。この場合、探索の終了点４２２は開始点の対角のコーナーである。
【００７６】
図１０（ｂ）は電子透かし８の画素パターンと一致する画素を検出することで電子透かしを検出する方法を模式的に説明する図の一例である。図１０（ｂ）は電子透かし８に含まれる微小点６１を示す。図１０（ｂ）では微小点６１が形成された２×２のｎ１〜ｎ４の画素とその周囲のｍ１〜ｍ６の６つの画素が示されている。したがって、１つの微小点６１が２×２の４画素で構成される。
【００７７】
図１０（ｃ）は微小点６１が有する画素値ｐを模式的に示す。トナーで形成される最も小さい１ドットはトナーの有無で表現されるため画素値は一定（黒画素）である。しかし、微小点６１をいくつかのドットで構成する場合、面積階調法で擬似的に濃度を表現できる。したがって、任意の画素値ｐを、電子透かし８の微小点６１の画素値として使用することができる。
【００７８】
上記のように制御部１６は電子透かし８を形成する（配置する）アルゴリズムを保持している。このアルゴリズムは所定の画素パターンで電子透かし８の微小点６１を原稿画像６２に形成する規則である。画素パターンは例えば、以下の要素を有する。
・微小点を構成する画素の形状（図１０では２×２）
・微小点の画素値（図１０ではｐ）
このアルゴリズムで使用される画素パターンを電子透かし８の検出時に制御部１６が利用する。制御部１６は画素パターンの画素の形状にしたがう微小点６１があり、その微小点６１の画素値が画素パターンで決まっている画素値ｐかどうかを判断する。
【００７９】
上記の例だと、画素の形状は２×２であり、各画素の画素値はpである。このため、制御部１６は画素ｍ１〜ｍ６の画素値がpでなく、かつ、ｎ１〜ｎ４の画素値がpである場合に、電子透かし８の微小点６１があると判断する。アルゴリズムで微小点６１の配置が分かる場合は、図１０（ｃ）のような微小点６１の検出は不要になり微小点６１の座標は既知となる。
【００８０】
<<Ｓ４０  Ｓ５０  保存先情報に基づく元画像６３の取得>>
図１１は、ステップＳ４０、Ｓ５０の保存先情報に基づく元画像６３の取得を模式的に説明する図の一例である。
（１）ユーザが画像処理装置１００に印刷物９（原稿）をセットして読み取らせる。画像処理装置１００は原稿画像６２を生成する。
（２）画像処理装置１００の制御部１６は原稿画像６２に電子透かし８が形成されているか否かを判断する。
（３）電子透かし８が形成されていることを検知した場合、画像処理装置１００の取得部１２は電子透かし８を解析して元画像６３の保存先情報５を取り出す。
（４）画像処理装置１００の取得部１２は通信部１１を介して取り出した保存先情報５をサーバ５０へ通知する。
（５）サーバ５０の通信部２１は通知された保存先情報５から原稿画像６２に対応する元画像６３を記憶部２２から取得し画像処理装置１００へ送信する。
【００８１】
<<Ｓ６０，Ｓ８０  比較と合成>>
図１２は、ステップＳ６０、Ｓ８０の比較処理と合成処理を模式的に説明する図の一例である。
（１）画像処理装置１００の比較部１４はサーバ５０から取得した元画像６３と原稿画像６２を比較する。比較方法はいくつかあるが例えば座標が同じ画素ごとに画素値の差を算出する方法がある。スキャナ機能で読み取られた原稿画像６２と電子データの元画像６３で色味が若干異なる場合があるため、画素ごとの差が閾値未満の場合はその画素において差がないと見なしてもよい。また、原稿画像６２と元画像６３に差がなくても、原稿画像６２に電子透かし８が形成されている場合、電子透かし８が差分として検出されてしまう。この処理については図１３で説明する。
（２）比較した結果、比較部１４が元画像６３と原稿画像６２に差異があると判断した場合、比較部１４は差分６を原稿画像６２から切り出す。合成部１７は元画像６３と差分６を合成した合成画像データ６４を作成する。合成画像データ６４をＵＩ部１５が操作パネル３０７へ表示してもよい。合成画像データ６４の作成は、原稿画像６２における差分６の座標の画素値を元画像６３の同じ座標の画素値にすればよい。
【００８２】
（差分に含まれる電子透かし８）
原稿画像６２に電子透かし８が形成されている場合の電子透かし８の削除について説明する。図１３は、電子透かし８がある場合の差分６を説明する図の一例である。本実施形態の比較部１４は、差分６から電子透かし８を削除する。図１３（ａ）は元画像６３を示し、図１３（ｂ）は原稿画像６２を示す。原稿画像６２には書き込み情報７と電子透かし８が形成されている。
【００８３】
図１３（ｃ）は電子透かし８（複数の微小点６１）の一例を示し、図１３（ｄ）は元画像６３と原稿画像６２の差分６を示す。図１３（ｄ）に示すように、差分６には電子透かし８と書き込み情報７が含まれる。比較部１４は、差分６から上記した電子透かし８の画素パターンを検出して、電子透かし８の画素パターンと一致している部分（微小点６１）を差分６から削除する処理を行う。例えば、微小点６１を白画素に置き換える。
【００８４】
図１３（ｆ）は電子透かし８が削除された差分６を示す。図１３（ｆ）では書き込み情報７のみを残した差分６が得られている。この図１３（ｆ）の差分６をそのまま合成に使用してもよい。しかし、書き込み情報７が元画像６３と重なっている場合、図１３（ｆ）の差分６は書き込み情報７と異なっている可能性がある（重なっている部分は元画像６３の画素値が引かれた分だけ変わっている）。そこで、図１３（ｅ）のように原稿画像６２から、差分６に対応する部分を取り出すことが好ましい。この切り出しの詳細を図１５にて説明する。
【００８５】
なお、画像処理装置１００は原稿画像６２から電子透かし８を検出する機能を有するため、差分６を作成する前に原稿画像６２から電子透かし８を削除することができる。したがって、電子透かし８の画素パターンを差分６の作成前に削除してよい。
【００８６】
あるいは、孤立点を除去することで差分６から電子透かし８を削除することができる。比較部１４は例えば比較結果（画素値の差の画像）にモフォロジーを施す。図１４はモフォロジーを説明する図の一例である。図１４（ａ）は元画像６３と原稿画像６２の差分６を示し、図１４（ｂ）はモフォロジーのうち収縮を示す。モフォロジーとは、白画素を８方向に収縮する処理、及び、黒画素を８方向に膨張する処理の組み合わせである。図１４（ｂ）に示すようにモフォロジーの収縮を行うことで周りの白画素で微小点を除去できる。何回かのモフォロジーによりすべての孤立点が除去されれば（白画素だけになれば）差異は電子透かし８のみであると判断でき、元画像６３と原稿画像６２に差異がないと判断できる。また、モフォロジーにより電子透かし８を除去できる。図１４（ｃ）はモフォロジーの結果を示す。
【００８７】
比較部１４はモフォロジーの前処理として比較結果を２値化して、黒画素の座標を保持しておく。モフォロジーの後、残った黒画素は書き込み情報７の座標を示し、残らなかった黒画素は電子透かし８の微小点６１の座標を示す。微小点６１の座標に基づいて、比較部１４は原稿画像６２から電子透かし８を削除できる。また、書き込み情報７の座標を使って、原稿画像６２から差分６を切り出すことができる。
【００８８】
（差分の切り出し）
図１５は、差分６の切り出しを詳細に説明する図の一例である。図１５は図１３（ｅ）と（ｆ）の処理を説明する図の一例である。図１５（ａ）は原稿画像６２を示し、図１５（ｂ）は差分６を示す。
【００８９】
図１５（ｃ）は図１５（ａ）の書き込み情報７の周辺を拡大した図の一例である。比較部１４は、原稿画像６２から差分６を取り出す際、差異があると判断した境界に対し余裕を持って原稿画像６２から差分６を切り出す。これにより、差分６が欠けないようにすることができる。図１５（ｃ）では差分６の外接矩形７１に対し上下左右に５ｍｍ大きい範囲７２が差分６として切り出される。
【００９０】
範囲７２の大きさは図８にて説明したようにユーザ自身が変更できる。例えば差分取得範囲４０５の範囲指定欄４０５ａで５ｍｍが設定されている場合、図示するように、外接矩形７１の上下左右に５ｍｍを足した範囲７２を比較部１４が切り出す。このように、範囲指定欄４０５ａの設定値は余裕分になる。範囲７２の形状は四角形のほかに円、楕円、頂点同士を結んだ形などでもよい。
【００９１】
図１５（ｃ）の範囲７２によれば、原稿画像６２の画像の一部（Ｒという文字の一部）が切り取られているが、合成には支障がない。合成部１７は、取り出した差分６を原稿画像６２と同じ座標の元画像６３の座標に貼り付ける（置き換える）ので、画像の一部（Ｒという文字の一部）は合成されても、ずれがないため画質に影響しない。
【００９２】
<<Ｓ９０〜Ｓ１２０  合成画像データの印刷>>
次に、図１６を用いて合成画像データ６４の保存と印刷処理について説明する。図１６は、合成画像データ６４のサーバ５０への保存と印刷を模式的に説明する図の一例である。
（１）画像処理装置１００の通信部１１は合成画像データ６４をサーバ５０に送信する。サーバ５０の通信部２１は合成画像データ６４を新たな元画像６３として記憶部２２に記憶させる。すなわち、画像ＩＤを採番してファイル名、保存先情報等を対応付けて記憶部２２に記憶させる。
（２）サーバ５０の通信部２１は保存先情報５を画像処理装置１００に送信する。
（３）画像処理装置１００の通信部１１は保存先情報５を受信して、制御部１６が保存先情報５を微小点６１の配置に変換して電子透かし８を生成する。
（４）画像処理装置１００の印刷部１８ｂは合成画像データ６４と電子透かし８を印刷物９に形成する。
【００９３】
このように、元画像６３との差分６がある原稿画像６２は新たに元画像６３としてサーバ５０で管理されるので、コピーしたタイミングで元画像６３に対し書き込み情報７が追加された合成画像データ６４を元画像６３として保存できる。各ユーザは自分が元画像６３に書き込んだ内容を保存でき、各ユーザは自分の書き込み情報７を各自で保存できる。
【００９４】
＜元画像６３と原稿画像６２に差分６がない場合の印刷処理＞
図１７は、元画像６３と原稿画像６２に差分６がない場合の印刷処理について説明する図の一例である。
（１）画像処理装置１００の比較部１４はサーバ５０から取得した元画像６３と原稿画像６２を比較する。
（２）元画像６３と原稿画像６２に差異がないと判断された場合、原稿画像６２の電子透かし８から解析した保存先情報５を微小点の配置に変換して電子透かし８を生成する。サーバ５０から元画像６３と共に保存先情報５を取得してもよい。原稿画像６２は印刷されないので破棄してよい。
（３）印刷部１８ｂは、サーバ５０から取得した元画像６３と電子透かし８を印刷物９に形成する。
【００９５】
このように、元画像６３が新たにサーバ５０から取得されるのでコピーが繰り返されても画質が低下しない。また、電子透かし８も新たに元画像６３に形成されるので電子透かし８のコピーによる画質の低下が生じない。
【００９６】
＜複数の画像処理装置がある場合＞
図１８を用いて複数の画像処理装置１００がある場合について説明する。図１８は、複数の画像処理装置１００がある場合の印刷物９のコピーを説明する図の一例である。複数の画像処理装置１００がある場合でも、処理の流れは同様である。一例として、画像処理装置１００−２が元画像６３をサーバ５０に登録し電子透かし８と元画像６３を印刷した。この印刷物９を画像処理装置１００−１が読み取った場合、取得した原稿画像６２の電子透かし８からサーバ５０に保存された元画像６３を特定することができる。
（１）画像処理装置１００−２は、元画像６３の電子データをサーバ５０に保存する。
（２）画像処理装置１００−２は、サーバ５０に保存した元画像６３を電子透かし８と共に印刷物９に形成する。この電子透かし８には元画像６３の保存先情報５が含まれている。
（３）ユーザは印刷物９を画像処理装置１００−１にセットしてコピーする操作を行う。
（４）画像処理装置１００−１は印刷物９の原稿画像６２を解析して電子透かし８を検出する。
（５）画像処理装置１００−１は電子透かし８を解析して保存先情報５を取得する。
（６）画像処理装置１００−１は保存先情報５をサーバ５０に指定して元画像６３を取得する。
【００９７】
このように、元画像６３を印刷した画像処理装置１００−２と印刷物９をコピーする画像処理装置１００−１が異なっていても、元画像６３を取得できる。画像処理装置１００−１は原稿画像６２との差分６を検出し、元画像６３と差分６を合成してコピーすることができる。
【００９８】
＜まとめ＞
本実施形態の画像処理システム２００によれば、サーバ５０から取得した元画像６３に差分６が合成されるので、ユーザは書き込み情報７を含む、コピー元の印刷物９とほぼ同じ画像の印刷物９を得ることができる。元画像６３と電子透かし８は原稿画像６２を用いることなく新たに印刷されるので画質の低下を抑制できる。
【００９９】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１００】
例えば、合成画像データ６４の保存先情報５をサーバ５０が生成すると説明したが、保存先情報５は画像処理装置１００が生成してサーバ５０に合成画像データ６４と共に送信してもよい。
【０１０１】
また、電子透かし８として微小点６１の配置に変換される情報は保存先情報５に限られない。例えば、元画像管理テーブルで管理されている情報は全て電子透かし８として印刷可能である。この他、コピーした日付、印刷物９を識別する識別情報などを電子透かし８に含めることができる。
【０１０２】
また、以上の実施例で示した図７などの構成例は、画像処理装置１００の処理の理解を容易にするために、主な機能に応じて分割したものである。しかし、各処理単位の分割の仕方や名称によって本願発明が制限されることはない。画像処理装置１００の処理は、処理内容に応じて更に多くの処理単位に分割することもできる。また、１つの処理単位が更に多くの処理を含むように分割することもできる。
【０１０３】
読取部１８ａは読取手段の一例であり、制御部１６は電子透かし処理手段の一例であり、取得部１２は取得手段の一例であり、比較部１４は比較手段の一例であり、合成部１７は合成手段の一例であり、印刷部１８ｂは印刷手段の一例であり、通信部１１は通信手段の一例であり、ＵＩ部１５は表示手段の一例である。原稿画像６２の電子透かし８は第一の電子透かしの一例であり、合成画像データ６４と共に印刷される電子透かし８は第二の電子透かしの一例であり、記憶部２２は記憶手段の一例である。
【符号の説明】
【０１０４】
７          書き込み情報
８          電子透かし
９          印刷物
５０        サーバ
６１        微小点
６２        原稿画像
６３        元画像
１００      画像処理装置
【先行技術文献】
【特許文献】
【０１０５】
【特許文献１】特開2007-325197号公報
【図１】
2019009568.tif 000004
【図２】
2019009568.tif 000005
【図３】
2019009568.tif 000006
【図４】
2019009568.tif 000007
【図５】
2019009568.tif 000008
【図６】
2019009568.tif 000009
【図７】
2019009568.tif 000010
【図８】
2019009568.tif 000011
【図９】
2019009568.tif 000012
【図１０】
2019009568.tif 000013
【図１１】
2019009568.tif 000014
【図１２】
2019009568.tif 000015
【図１３】
2019009568.tif 000016
【図１４】
2019009568.tif 000017
【図１５】
2019009568.tif 000018
【図１６】
2019009568.tif 000019
【図１７】
2019009568.tif 000020
【図１８】
2019009568.tif 000021